(57)【要約】      （修正有）【課題】電子機器に適合されたスライドレール機構を提供する。【解決手段】ブラケットは、スライドレール機構はスライドレール及びブラケット装置を含む。ブラケット装置はスライドレール２２に配置される。スライドレール及びブラケット装置のうちの一方はスライドレール機構の両側を連通するための構造機能部３８を含む。構造機能部は電子機器のケーブルが貫通できるように構成されている。すなわち、スライドレール機構はスライドレール機構の両側を連通するケーブル貫通孔又は構造機能部を有する。【選択図】図３
2019083305.tif 000002
【特許請求の範囲】
【請求項１】
電子機器をラックに取り付けるように適合されたスライドレール機構であって、当該スライドレール機構は、
第１のレールと、
前記第１のレールに配置されるブラケット装置であって、該ブラケット装置は前記ラックに取り付けられる、ブラケット装置と、
を含み、
前記電子機器は当該スライドレール機構の第１の側に配置され、前記第１のレール及び前記ブラケット装置のうちの一方は構造機能部を含み、該構造機能部は当該スライドレール機構の第１の側と、前記第１の側の反対側の第２の側とを連通し、
前記構造機能部は前記電子機器のケーブルが貫通できるように構成されている、スライドレール機構。
【請求項２】
前記第１のレール及び前記ブラケット装置のうちの一方は第１の壁と、第２の壁と、該第１の壁及び該第２の壁の間に接続される側壁とを含み、該第１の壁、該第２の壁及び該側壁は共同で空間を定義し、前記構造機能部は前記側壁に配置され、前記スライドレール機構は該空間に収容される強化部をさらに含む、請求項１に記載のスライドレール機構。
【請求項３】
前記強化部は第１の支持壁、第２の支持壁、中間壁及び第１の係合部を含み、
前記中間壁は前記第１の支持壁と前記第２の支持壁との間に接続され、前記第１の支持壁、前記第２の支持壁及び前記中間壁は前記第１の壁、前記第２の壁及び前記側壁にそれぞれ対応して位置し、前記中間壁は前記構造機能部に隣接する対応機能部を含み、前記第１の係合部は前記側壁の第２の係合部と係合するように構成されている、請求項２に記載のスライドレール機構。
【請求項４】
前記構造機能部はケーブル貫通孔であり、前記スライドレール機構は前記第１のレールに対して可動な第２のレールをさらに含む、請求項１に記載のスライドレール機構。
【請求項５】
前記ブラケット装置は取り付け部材を含み、該取り付け部材は前記ラックのポストに取り付けられるように構成され、前記ブラケット装置は補強部材を通じて前記第１のレールに取り付けられる、請求項２に記載のスライドレール機構。
【請求項６】
第１の端部及び第２の端部を有する第１のレールと、
前記第１のレールの第２の端部に隣接して接続されるブラケットと、
前記第１のレールの第１の端部に隣接して接続されるブラケット装置であって、該ブラケット装置にはケーブル貫通孔が配置される、ブラケット装置と、
を含むスライドレール機構。
【請求項７】
補強部材及び第２のレールをさらに含み、
前記補強部材は前記第１のレールの後ろ側に接続され、前記補強部材は空間を定義し、前記ブラケット装置は前記補強部材の前記空間を通じて前記第１のレールに対して可動な側壁を含み、
前記側壁は前記ケーブル貫通孔を含み、前記第２のレールは前記第１のレールに対して可動である、請求項６に記載のスライドレール機構。
【請求項８】
前記ブラケット装置は第１の壁及び第２の壁をさらに含み、
前記側壁は前記第１の壁と前記第２の壁との間に接続され、前記第１の壁、前記第２の壁及び前記側壁は空間を共同で定義し、前記スライドレール機構は前記ブラケット装置の前記空間内で収容される強化部をさらに含む、請求項７に記載のスライドレール機構。
【請求項９】
前記強化部は第１の支持壁、第２の支持壁、中間壁及び第１の係合部を含み、
前記中間壁は前記第１の支持壁及び前記第２の支持壁の間に接続され、前記第１の支持壁、前記第２の支持壁及び前記中間壁は前記第１の壁、前記第２の壁及び前記側壁にそれぞれ対応して位置し、前記中間壁は前記ケーブル貫通孔に隣接する対応機能部を含み、前記第１の係合部は前記側壁の第２の係合部と係合する、請求項８に記載のスライドレール機構。
【請求項１０】
前記強化部は第１の当接部をさらに含み、該第１の当接部は前記側壁の第２の当接部と協働するように構成されている、請求項９に記載のスライドレール機構。
【発明の詳細な説明】
【技術分野】
【０００１】
本発明はスライドレール機構に関し、より具体的には電子機器をラックに取り付けることが可能なスライドレール機構に関する。
【背景技術】
【０００２】
図１及び図２に示すように、ラックシステムにおいては、（図１に示す）第１の長さを有する第１の電子機器１００又は（図２に示す）第２の長さを有する第２の電子機器１０２）等の電子機器の２つ側は、一対のスライドレール機構１０４ａ、１０４ｂを通じてラック１０６の２対のポスト１０６ａ、１０６ｂに取り付けることができる。
【０００３】
関連する先行技術において、メンテナンス作業者は、これらの電子機器１００、１０２のケーブル１０７を得るためにスライドレール機構１０４ａ、１０６ｂ又はラック１０６の側面に沿って後ろ側Ｒに歩いて行く必要がある場合が多い。ケーブル１０７は電力線又は伝送線であり、物体１０８に電気的に接続されるように構成されている。物体１０８は、例えば電源又は電子機器である。
【先行技術文献】
【特許文献】
【０００４】
【特許文献１】米国特許第９９１３３９７号明細書
【特許文献２】米国特許第６６４６８９３号明細書
【特許文献３】米国特許第６６００６６５号明細書
【特許文献４】米国特許第６３０５５５６号明細書
【発明の概要】
【発明が解決しようとする課題】
【０００５】
しかしながら、メンテナンス作業者は、スライドレール機構１０４ａ、１０４ｂの後ろ側Ｒを通じてしかこれらの電子機器１００、１０２のケーブル１０７を得ることができないため、メンテナンス作業者にとって機器をメンテナンスするのが不便となる。
【０００６】
本発明は電子機器に適合されたスライドレール機構に関する。
【課題を解決するための手段】
【０００７】
本発明の一態様によれば、電子機器をラックに取り付けるように適合されたスライドレール機構が提供される。スライドレール機構は第１のレール及びブラケット装置を含む。ブラケット装置は第１のレールに配置されるとともにラックに取り付けられる。電子機器は当該スライドレール機構の第１の側に配置され、第１のレール及びブラケット装置のうちの一方は構造機能部（structure  feature）を含む。構造機能部はスライドレール機構の第１の側と、第１の側の反対側の第２の側とを連通する。構造機能部は電子機器のケーブルが貫通できるように構成されている。
【０００８】
本発明の別の態様によれば、スライドレール機構であって、スライドレール機構はスライドレール機構の両側を連通するケーブル貫通孔又は構造機能部を有する。
【０００９】
第１のレール、ブラケット及びブラケット装置を含むスライドレール機構が提供される。第１のレールは第１の端部及び第２の端部を有する。ブラケットは第１のレールの第２の端部に隣接して接続される。ブラケット装置は第１のレールの第１の端部に隣接して接続され、ブラケット装置にはケーブル貫通孔が配置される。
【００１０】
第１のレール及びブラケット装置を含むスライドレール機構が提供される。ブラケット装置は第１のレールに配置される。第１のレール及びブラケット装置のうちの一方はスライドレール機構の両側を連通するように構成された構造機能部を含む。
【００１１】
様々な図面に図示する下記の好ましい実施形態の詳細な説明を読み終えた後、本発明の上記の目的及び他の目的が当業者に間違いなく明らかになる。
【図面の簡単な説明】
【００１２】
【図１】図１は、先行技術のスライドレール機構を通じてラックに取り付けられた第１の電子機器を示す図である。
【図２】図２は、先行技術のスライドレール機構を通じてラックに取り付けられた第２の電子機器を示す図である。
【図３】図３は、本発明の一実施形態に係るスライドレール機構の分解図である。
【図４】図４は、本発明の一実施形態に係るスライドレール機構の組み立て図である。
【図５】図５は、本発明の一実施形態に係る、スライドレール機構が電子機器をラックに取り付け、ケーブルがスライドレール機構の一方側から該一方側の反対の他方側に配置されているのを示す図である。
【図６】図６は、本発明の一実施形態に係る、スライドレール機構が電子機器をラックに取り付けるのを示す図である。
【発明を実施するための形態】
【００１３】
図３及び図４に示すように、本発明の一実施形態に係るスライドレール機構は第１の側Ｓ１及び第２の側Ｓ２を有する。第１の側Ｓ１及び第２の側Ｓ２は互いに反対側であることが好ましい。
【００１４】
スライドレール機構は第１のレール２２及びブラケット装置２４を含む。以下では、ブラケット２６及び第２のレール２７をさらに含むスライドレール機構を一例として説明する。
【００１５】
第１のレール２２は第１の端部２８ａ及び第２の端部２８ｂを有する。第１の端部２８ａ及び第２の端部２８ｂは例えばそれぞれ前端部及び後端部であるが、本発明はそのような構成に限定されない。他方、第２のレール２７は引っ込められた状態又は伸長された状態になるように第１のレール２２に対して変位可能である。以下では、第１のレール２２の前側に配置された第２のレール２７を一例として説明する。
【００１６】
ブラケット２６は第１のレール２２の第２の端部２８ｂに隣接して接続されている。他方、ブラケット装置２４は第１のレール２２に配置されている。ブラケット装置２４は、第１のレール２２の後ろ側に配置された補強部材３０を通じて第１のレール２２の第１の端部２８ａに隣接して接続されることが好ましい。補強部材３０及び第１のレール２２は一体の部品として一体化することができる。例えば、補強部材３０は第１のレール２２の後ろ側に固定接続され、第１のレール２２の一部としてみなすことができる。補強部材３０は第１の壁３３ａと、第２の壁３３ｂと、第１の壁３３ａ及び第２の壁３３ｂの間に接続される側壁３４とを含むことが好ましい。第１の壁３３ａ、第２の壁３３ｂ及び側壁３４は共同で空間３６を定義する。
【００１７】
ブラケット装置２４及び第１のレール２２のうちの一方は構造機能部３８を含む。構造機能部３８はスライドレール機構の第１の側Ｓ１と第２の側Ｓ２とを連通するように構成されている。以下では、ブラケット装置２４が構造機能部３８を含む場合を一例として説明する。構造機能部３８はケーブル貫通孔であることが好ましいが、本発明はそのような構成に限定されない。さらに、ブラケット装置２４は第１の壁４０ａと、第２の壁４０ｂと、第１の壁４０ａ及び第２の壁４０ｂの間に接続される側壁４２とを含む。第１の壁４０ａ、第２の壁４０ｂ及び側壁４２は空間４４を定義する。ブラケット装置２４の側壁４２は補強部材３０を通じて第１のレール２２に取り付けられている。以下では、ブラケット装置２４の側壁４２が補強部材３０の空間３６を通じて第１のレール２２に対して動かすことができ、ケーブル貫通孔が側壁４２に形成される例を説明する。ブラケット装置２４は取り付け部材４６をさらに含み、取り付け部材４６はブラケット装置２４の側壁４２の端部位置に配置されることが好ましい。
【００１８】
スライドレール機構は、ブラケット装置２４の空間４４内に収容される強化部４８をさらに含むことが好ましい。強化部４８は第１の支持壁５０ａと、第２の支持壁５０ｂと、第１の支持壁５０ａ及び第２の支持壁５０ｂの間に接続される中間壁５２とを含む。第１の支持壁５０ａ、第２の支持壁５０ｂ及び中間壁５２は、ブラケット装置２４の第１の壁４０ａ、第２の壁４０ｂ及び側壁４２にそれぞれ対応して位置するとともに互いに支え合うことができる。中間壁５２は構造機能部３８に隣接する対応機能部（corresponding  feature）５４を含む。本実施形態では、対応機能部５４は支持孔であり、支持孔の位置は構造機能部３８の位置に対応する。
【００１９】
第１の支持壁５０ａ及び第１の壁４０ａは屈曲部であり、互いに支え合うことができることが好ましい。第２の支持壁５０ｂ及び第２の壁４０ｂは屈曲部であり、互いに支え合うことができることが好ましい。それにより、スライドレール機構の支持強度を高めることができる。
【００２０】
強化部４８は第１の係合部５６をさらに含み、第１の係合部５６はブラケット装置２４の側壁４２の第２の係合部５８と係合するように構成されている。例えば、第１の係合部５６及び第２の係合部５８は凸構造及び凹（又は孔）構造の組み合わせである。そのような組み合わせは強化部４８をブラケット装置２４に取り外し可能に接続できるようにする。
【００２１】
図３において、強化部４８はフランジ５４０をさらに含むことができる。フランジ５４０は強化部４８の中間壁５２から突出するとともに対応機能部５４（即ち支持孔）の周りに位置する。フランジ５４０はケーブルと強化部４８との間の摩耗の防止をもたらす。即ち、フランジ５４０は対応機能部５４（即ち支持孔）の周りの端の鋭利さを低減する。これは、ケーブルが支持孔の端によって破損するのを保護する。加えて、フランジ５４０は強化部４８の構造強度を高める。
【００２２】
強化部４８は第１の当接部６０をさらに含み、第１の当接部６０はブラケット装置２４の側壁４２の第２の当接部６２と協働するように構成されていることが好ましい。例えば、第１の当接部６０及び第２の当接部６２は互いに当接して、強化部４８が側壁４２に取り付けられるときに構造強度及び／又は信頼性を高めることができる。
【００２３】
図５に示すように、スライドレール機構は電子機器６４をラック６６に取り付けるように適合されている。具体的には、電子機器６４は例えばサーバー、ハードディスク又は配電ユニット等であるが、本発明は係る構成に限定されない。ラック６６は第１のポスト６６ａ及び第２のポスト６６ｂを含み、これらのポスト６６ａ、６６ｂの双方は複数の取り付け孔６８を有する（斜視図のために第２のポスト６６ｂの取り付け孔は図示していない）。
【００２４】
さらに、スライドレール機構の第１のレール２２はブラケット２６を通じて第１のポスト６６ａに取り付けられ、第１のレール２２はブラケット装置２４（の取り付け部４６）を通じて第２のポスト６６ｂに取り付けられる。この部分は当業者に良く知られているため、簡潔性のために詳細な説明はここでは省略する。
【００２５】
電子機器６４はスライドレール機構の第１の側Ｓ１に配置されている。電子機器６４が取り付けられ且つ支持されるようにするために、電子機器６４は第１のレール２２及び第２のレール２７の一方に配置することができる。以下、第２のレール２７に配置された電子機器６４を一例として説明する。これにより、電子機器６４は、第２のレール２７を通じてラック６６の内部からラック６６の外に動かすことができるか又はラック６６の外からラック６６の内部に動かすことができる。
【００２６】
構造機能部３８はスライドレール機構の第１の側Ｓ１と第２の側Ｓ２とを連通する。具体的には、構造機能部３８はケーブル７０が貫通できるようにする。例えば、ケーブル７０はスライドレール機構の第１の側Ｓ１から構造機能部３８（及び強化部４８の対応機能部５４）を貫通することができる。その結果、ケーブル７０は第２の側に露出するか又は第２の側Ｓ２に配置される。上記の構成により、作業の簡便性を高めるために、メンテナンス作業員が側面（例えば第２の側Ｓ２）のケーブル７０に直接アクセスしやすくなる。
【００２７】
図６に示すように、電子機器６４は一対のスライドレール機構を通じて２対の第１のポスト６６ａ及び第２のポスト６６ｂに取り付けられる。一対のスライドレール機構の１つは構造機能部３８を有し、メンテナンス作業員は構造機能部３８を通じてスライドレール又はラック６６の側部（例えば第２の側部Ｓ２）にあるケーブル７０を直接得ることができる。即ち、この構成によれば、ケーブル７０を得るためにメンテナンス作業員がスライドレール機構又はラック６６の一端位置（例えば後ろ側位置Ｂ）に歩いて行く必要があるという問題を解決することができる。
【００２８】
したがって、本発明の実施形態は下記の特徴を含む。
【００２９】
１）スライド機構は第１の側Ｓ１及び第２の側Ｓ２を有し、ブラケット装置２４及び第１のレール２２のうちの一方は、スライドレール機構の第１の側Ｓ１と第２の側Ｓ２とを連通する構造機能部３８を含む。電子機器６４がスライドレール機構の第１の側Ｓ１に配置されている場合、メンテナンス作業員はスライドレール機構の第２の側Ｓ２で電子機器６４のケーブル７０を得ることができる。
【００３０】
２）強化部４８及びブラケット装置２４は構造強度を高めるために支え合うことができる。強化部４８は、ケーブル７０を支持するためにスライドレール機構を支援するために構造機能部３８に隣接する対応機能部５４を有する。
【００３１】
３）強化部４８は、必要に応じて取り付けることができるようにブラケット装置２４に取り外し可能に接続される。
【００３２】
当業者であれば、本発明の教示を維持しながら多くの変更及び改良が装置及び方法に加えられ得ることに容易に気付く。従って、上記の開示は、添付の請求項の範囲によってのみ限定されると解釈すべきである。
【符号の説明】
【００３３】
２２  第１のレール
２４  ブラケット装置
２６  ブラケット
２８ａ  第１の端部
２８ｂ  第２の端部
３０  補強部材
３４  側壁
３６  空間
３８  構造機能部
４０ａ  第１の壁
４０ｂ  第２の壁
４２  側壁
４４  空間
４６  取り付け部材
４８  強化部
５０ａ  第１の支持壁
５０ｂ  第２の支持壁
５２  中間壁
５４  対応機能部
５６  第１の係合部
５８  第２の係合部
６０  第１の当接部
６２  第２の当接部
６４  電子機器
６６  ラック
６８  取り付け孔
７０  ケーブル
Ｓ１  第１の側
Ｓ２  第２の側
【図１】
2019083305.tif 000003
【図２】
2019083305.tif 000004
【図３】
2019083305.tif 000005
【図４】
2019083305.tif 000006
【図５】
2019083305.tif 000007
【図６】
2019083305.tif 000008